(57)【特許請求の範囲】
【請求項１】
エレベータ乗場に設置された、当該エレベータの乗りかごの位置情報を表示するかご位置表示装置と、１人乗り専用かご呼びボタンとに接続されたエレベータ制御装置において、
前記１人乗り専用かご呼びボタンが操作されたときには、前記かご位置表示装置で、前記乗りかごの位置に対応しない情報を表示するかご位置表示制御部
を有することを特徴とするエレベータ制御装置。
【請求項２】
前記かご位置表示制御部は、前記乗りかごの位置に対応しない情報を表示する際に、当該エレベータが設置された建物内の階床情報を順次スクロール表示させるか、または、いずれかの階床情報またはすべての階床情報を固定的に点灯あるいは点滅させる
ことを特徴とする請求項１に記載のエレベータ制御装置。
【請求項３】
前記かご位置表示制御部は、前記乗りかごの位置に対応しない情報を表示するように切り替えた後、前記乗りかごが登録された行き先階に着床し、その後新たに発生したかご呼びに応答して戸開すると、前記かご位置表示装置で前記乗りかごの位置情報を表示するように切り替える
ことを特徴とする請求項１または２に記載のエレベータ制御装置。
【請求項４】
前記かご位置表示制御部は、前記乗りかごの位置に対応しない情報を表示するように切り替え、前記乗りかごが登録された行き先階に着床した後、停止状態で一定時間以上経過すると、前記かご位置表示装置で前記乗りかごの位置情報を表示するように切り替える
ことを特徴とする請求項１〜３いずれか１項に記載のエレベータ制御装置。
【請求項５】
前記かご位置表示制御部は、前記乗りかごの位置に対応しない情報を表示するように切り替え、前記乗りかごが登録された行き先階に着床した後、かご呼びが一定時間以上発生せずに予め設定された基準階に帰着すると、前記かご位置表示装置で前記乗りかごの位置情報を表示するように切り替える
ことを特徴とする請求項１〜３いずれか１項に記載のエレベータ制御装置。
【請求項６】
前記１人乗り専用かご呼びボタンには、前記エレベータ乗場から遠隔の場所に設置され、操作されるとこれに連動して前記１人乗り専用かご呼びボタンを操作された状態にする、別置１人乗り専用かご呼びボタンが接続されている
ことを特徴とする請求項１〜５いずれか１項に記載のエレベータ制御装置。
【発明の詳細な説明】
【技術分野】
【０００１】
本発明の実施形態は、エレベータ制御装置に関する。
【背景技術】
【０００２】
従来、建物の各階のエレベータ乗場には、乗りかごの位置を表示するかご位置表示装置が設けられている。このかご位置表示装置の表示内容は、乗りかごの現在の位置情報（最寄の階床情報）に基づいて逐次更新され、乗りかごが停止すると表示も停止階を示し、乗りかごが移動すると表示も連動して移動方向に変更する。
【０００３】
かご位置表示装置に乗りかごの位置が表示されることにより、各乗場でエレベータ待ちをしている利用者は、現在の乗りかごの位置や昇降状態、停止階等を確認することができ、乗りかごの到着までの時間を予測することができる。
【先行技術文献】
【特許文献】
【０００４】
【特許文献１】特開２０１０−８９８９３号公報
【発明の概要】
【発明が解決しようとする課題】
【０００５】
しかしかご位置表示装置に乗りかごの位置を表示させると、乗りかごに乗り込んだ利用者がどの階で降車したか、またはどの階から乗車してきたかを、乗場にいる第三者が認識することができる。一人暮らしの多いマンション等では防犯上の観点から、一人でエレベータを利用するときに、降車した階床や乗車した階床、つまり居住階を乗場の第三者に知られたくないという要望がある。
【０００６】
これに対応し、利用者が乗車して乗りかごが昇降するときに、乗場のかご位置表示装置の表示を消灯することが考えられるが、この場合乗場の利用者がエレベータの故障と誤認してしまい不都合が生じる場合があるという問題があった。
【０００７】
本発明は上記事情に鑑みてなされたものであり、エレベータに乗車した利用者の乗車階床や降車階床を、乗場のかご位置表示装置から認識できないように、かご位置表示装置の表示内容を制御するエレベータ制御装置を提供することを目的とする。
【課題を解決するための手段】
【０００８】
上記目的を達成するための実施形態によれば、エレベータの乗りかごの位置情報を表示する乗場かご位置表示装置と、１人乗り専用かご呼びボタンとに接続されたエレベータ制御装置は、かご位置表示制御部を有する。かご位置表示制御部は、前記１人乗り専用かご呼びボタンが操作されたときには、前記かご位置表示装置で、前記乗りかごの位置に対応しない情報を表示する。
【図面の簡単な説明】
【０００９】
【図１】第１実施形態によるエレベータ制御装置を利用したエレベータの構成を示す全体図。
【図２】第１実施形態および第２実施形態によるエレベータ制御装置の構成を示すブロック図。
【図３】第１実施形態および第２実施形態によるエレベータ制御装置の動作を示すフローチャート。
【図４】第２実施形態によるエレベータ制御装置を利用したエレベータの構成を示す全体図。
【発明を実施するための形態】
【００１０】
本発明の実施形態によるエレベータ制御装置で制御するエレベータは、一般の利用者が利用可能な通常運転、または、１人乗り専用のかご呼び操作を行った利用者のみが利用可能な１人乗り専用運転により運転する。
【００１１】
《第１実施形態》
〈第１実施形態によるエレベータ制御装置を利用したエレベータの構成〉
本発明の第１実施形態によるエレベータ制御装置を利用したエレベータの構成について、図１を参照して説明する。
【００１２】
本実施形態におけるエレベータ１は、１階〜６階の階床を有する建物に設置されている。図１は、当該エレベータ１の１階の乗場１０を示す正面図と、乗りかご２０と、乗場１０に設置された各機器および乗りかご２０に接続されたエレベータ制御装置３０とを示す構成図である。
【００１３】
乗場１０には乗場ドア１１の近傍に設置された乗場一般用操作盤１２と、第１かご位置表示盤１３と、第２かご位置表示盤１４と、一般用乗り込み許可灯１５と、１人乗り専用かご呼びボタン１６と、１人乗り専用乗り込み許可灯１７とが設置されている。
【００１４】
乗場一般用操作盤１２は、通常運転時に一般の利用者が操作可能なボタンを有する操作盤であり、上方向のかご呼びを発生させるための上方向かご呼びボタン１２１および下方向のかご呼びを発生させるための下方向かご呼びボタン１２２を有する。
【００１５】
第１かご位置表示盤１３は、当該エレベータ１の乗りかご２０の現在の移動方向（上方向または下方向）を示す矢印を表示するかご移動方向表示部１３１と、乗りかご２０の現在位置情報として最寄階の階床情報を表示するかご位置階床表示部１３２と、１人乗り専用運転中に点灯する１人乗り専用運転表示灯１３３とを有する。
【００１６】
第２かご位置表示盤１４は、上方向かご移動表示灯１４１と、かご位置表示灯（１階）１４２−１、かご位置表示灯（２階）１４２−２、かご位置表示灯（３階）１４２−３、かご位置表示灯（４階）１４２−４、かご位置表示灯（５階）１４２−５、かご位置表示灯（６階）１４２−６と、下方向かご移動表示灯１４３とを有する。
【００１７】
上方向かご移動表示灯１４１は、乗りかご２０が上方向に移動しているときに点灯する。
【００１８】
各階床に対応したかご位置表示灯１４２−１〜１４２−６は、乗りかご２０の現在の最寄階床に該当するいずれかの表示灯を点灯することにより、乗りかご２０の現在位置情報を表示する。
【００１９】
下方向かご移動表示灯１４３は、乗りかご２０が下方向に移動しているときに点灯する。
【００２０】
一般用乗り込み許可灯１５は、通常運転時に点灯する。
【００２１】
１人乗り専用かご呼びボタン１６は、利用者が１人乗り専用運転を指示してかご呼び操作をするためのボタンである。
【００２２】
１人乗り専用乗り込み許可灯１７は、1人乗り専用運転のかご呼び中に点灯する。
【００２３】
また乗りかご２０には、１階〜６階のそれぞれに対応する行き先階登録ボタン（図示せず）を有するかご内操作盤２１が設置されている。
【００２４】
またエレベータ制御装置３０は、ボタン操作情報取得部３１と、運転制御部３２と、許可灯切替部３３と、かご位置表示制御部３４とを有する。
【００２５】
ボタン操作情報取得部３１は、上方向かご呼びボタン１２１、下方向かご呼びボタン１２２、１人乗り専用かご呼びボタン１６、乗りかご２０のかご内操作盤２１内の行き先階登録ボタン（図示せず）で操作された操作情報を取得する。
【００２６】
運転制御部３２は、ボタン操作情報取得部３１で取得された操作情報に基づいて、通常運転または１人乗り専用運転により当該エレベータの動作を制御する。
【００２７】
許可灯切替部３３は、運転制御部３２により通常運転が行われているときには一般用乗り込み許可灯１５を点灯し、１人乗り専用運転が行われているときには１人乗り専用運転表示灯１３３を点灯するように切り替える。また、１人乗り専用かご呼びボタン１６が操作されてから利用者が乗り込むまでの間、操作された階の１人乗り専用乗り込み許可灯１７を点灯する。
【００２８】
かご位置表示制御部３４は、運転制御部３２によるエレベータの運転制御内容に基づいて、かご移動方向表示部１３１、かご位置階床表示部１３２の表示制御、および、上方向かご移動表示灯１４１、かご位置表示灯１４２−１〜１４２−６、下方向かご移動表示灯１４３の点灯制御を行う。この際、運転制御部３２により１人乗り専用運転が行われているときには、かご位置階床表示部１３２により、乗りかご２０の位置に対応しない階床情報を表示させる。またかご位置階床表示部１３２により、乗りかご２０の位置に対応していないずれかのかご位置表示灯１４２−１〜１４２−６を点灯させる。
【００２９】
〈第１実施形態によるエレベータ制御装置を利用したエレベータの動作〉
次に、利用者が１人乗り専用運転を指示してかご呼び操作を行い、エレベータを利用したときのエレベータ制御装置３０の動作について図３のフローチャートを参照して説明する。
【００３０】
通常は、運転制御部３２によりエレベータ１が通常運転にて動作が制御されている（Ｓ１）。このとき、各階の一般用乗り込み許可灯１５が点灯されることで、各乗場にいる利用者に現在通常運転中であることが示される。
【００３１】
通常運転では、各階の乗場一般用操作盤１２内の上方向かご呼びボタン１２１、下方向かご呼びボタン１２２、およびかご内操作盤２１内の行き先階登録ボタンの操作情報に基づいて乗りかご２０の昇降や乗場ドア１１、かごドアの開閉が制御される。
【００３２】
次に、乗場（１階）１０にいる利用者が１人乗り専用状態にてエレベータを利用することを希望し、１人乗り専用かご呼びボタン１６を操作したとする（Ｓ２の「YES」）。
【００３３】
１人乗り専用かご呼びボタン１６が操作され、１人乗り専用運転が指示されてかご呼びが発生すると、この操作情報がエレベータ制御装置３０のボタン操作情報取得部３１で取得され、運転制御部３２に送出される。
【００３４】
運転制御部３２では、１人乗り専用かご呼びボタン１６の操作情報が取得されたことにより、１人乗り専用運転指示に応答してエレベータ１の運転を制御するように切り替えられる。
【００３５】
本実施形態においては、１人乗り専用運転で制御するように切り替えられると、許可灯切り替え部３３により各階の一般用乗り込み許可灯１５が消灯され、１人乗り専用運転表示灯１３３が点灯される。これにより、各乗場にいる操作者以外の利用者に乗り込み不可能であることが示される。また、１人乗り専用かご呼びボタン１６が操作された１階の１人乗り専用乗り込み許可灯１７が点灯される。これにより、操作した利用者に１人乗り専用運転が許可されたことが示される。
【００３６】
このとき、乗場に設置されたスピーカ（図示せず）から、「現在は１人乗り運転中であり、１人乗り専用かご呼びボタンを操作した利用者以外の人はエレベータを利用できない」旨を示す音声アナウンスを出力するようにしてもよい。
【００３７】
また１人乗り専用運転で制御するように切り替えられると、かご位置表示制御部３４により、乗りかご２０の位置に対応しない階床情報が各階のかご位置階床表示部１３２に表示され、また、乗りかご２０の位置に対応していないずれかのかご位置表示灯１４２−１〜１４２−６が各階で点灯されるように切り替えられる（Ｓ３）。
【００３８】
ここでかご位置表示制御部３４は、例えばかご位置階床表示部１３２に「１階」から「６階」をスクロール表示させたり、いずれかの階床情報を固定して表示させたりすることにより、乗りかご２０の位置に対応していない階床情報を表示させることができる。
【００３９】
またかご位置表示制御部３４は、例えばかご位置表示灯１４２−１〜１４２−６を順次点灯させたり、いずれかのかご位置表示灯またはすべてのかご位置表示灯を固定的に点灯させたり点滅させたりすることにより、乗りかご２０の位置に対応していないいずれかのかご位置表示灯を点灯させることができる。
【００４０】
次に、１人乗り専用かご呼びボタン１６が操作されたことにより発生したかご呼びに応答して、乗りかご２０が乗場（１階）１０に着床して戸開する。そして、１人乗り専用かご呼びボタン１６を操作した利用者が乗り込んで、乗りかご２０内のかご内操作盤２１で所望の行き先階（例えば「５階」を登録する。利用者が乗りかご２０に乗り込んでかご内操作盤２１を操作したこと、または戸閉したことが検知されると、許可灯切り替え部３３により点灯された１階の１人乗り専用乗り込み許可灯１７が消灯される。
【００４１】
かご内操作盤２１内の行き先階登録ボタン操作で登録された行き先階情報が運転制御部３２に送出され、これに基づいて運転制御部３２で乗りかご２０の昇降が制御される。
【００４２】
登録された行き先階「５階」に乗りかご２０が着床し戸開すると（Ｓ４の「YES」）、運転制御部３２では通常運転でエレベータ１を制御するように切り替えられる。本実施形態においては、１人乗り専用運転から通常運転に切り替えられると、許可灯切り替え部３３により点灯していた１人乗り専用運転表示灯１３３が消灯されて各階の一般用乗り込み許可灯１５が点灯され、乗場にいる利用者に通常運転中であることが示される（Ｓ５）。このとき、乗場に設置されたスピーカ（図示せず）から、「通常運転に切り替えられた」旨を示す音声アナウンスを出力するようにしてもよい。
【００４３】
この時点では、かご位置表示制御部３４により、乗りかご２０の位置に対応しない階床を各階の第１かご位置表示盤１３および第２かご位置表示盤１４で表示、点灯する制御は継続して行われる。
【００４４】
次に、いずれかの階床（例えば「３階」）の乗場一般用操作盤１２で上方向かご呼びボタン１２１または下方向かご呼びボタン１２２が操作されたか否かが監視される。
【００４５】
かご呼びボタンが操作されたことがボタン操作情報取得部３１で取得されると、当該操作に基づいて、かご呼びボタンが操作された階床「３階」に乗りかご２０を着床させるように、運転制御部３２によりエレベータ１の動作が制御される。
【００４６】
かご呼びボタンが操作された階床「３階」に乗りかご２０が着床し戸開すると（Ｓ６の「YES」）、かご位置表示制御部３４により、かご位置階床表示部１３２の表示内容およびかご位置表示灯１４２−１〜１４２−６の点灯状態が、実際の乗りかご２０の位置に対応するように切り替えられる（Ｓ７）。このように、１人乗り専用運転に切り替えた後、乗りかご２０が行き先登録階に着床し戸開しても、その後新たに発生したかご呼びに応答して戸開するまでは、乗りかご２０の位置に対応しない階床を各階のかご位置表示盤１３、１４で表示、点灯する制御を継続することで、確実に、１人乗り専用運転時のエレベータの運行状況を乗場にいる他人に認識させないようにすることができる。
【００４７】
以降はステップＳ１に戻り、エレベータ１で通常運転が継続される。
【００４８】
以上の第１実施形態によれば、１人乗り専用運転でエレベータ１が運転されるときには各乗場のかご位置表示盤１３、１４の表示を実際のかご位置に対応しない階床を示すように制御することで、利用者が１人乗り専用運転を指定してエレベータに乗り込んだ際に、乗車した階の乗場にいる他人に行き先階を認識されないようにすることができる。
【００４９】
またこのように制御することで、１人でエレベータに乗り込んだ利用者が行き先階で降車した際に、降車した階の乗場にいる他人にも、乗車した階を認識されないようにすることができる。
【００５０】
また、乗りかご２０の位置に対応しない情報を表示するように切り替え、乗りかご２０が１人乗り専用運転で登録された行き先階に着床した後、停止状態で一定時間以上が経過したときに、かご位置表示盤１３、１４で乗りかごの位置情報を表示するように切り替えてもよい。
【００５１】
また運転制御部３２で、かご呼びが発生せずに一定時間以上経過したときに基準階（例えば１階）に乗りかご２０を帰着させて待機させるように設定されている場合は、乗りかご２０が１人乗り専用運転で登録された行き先階に着床した後、基準階に帰着したときに、かご位置表示盤１３、１４で乗りかごの位置情報を表示するように切り替えてもよい。
【００５２】
《第２実施形態》
〈第２実施形態によるエレベータ制御装置を利用したエレベータの構成〉
本発明の第２実施形態によるエレベータ制御装置を利用したエレベータの構成について、図４を参照して説明する。
【００５３】
本実施形態におけるエレベータ２は、当該建物内のエレベータ乗場から遠隔の場所である管理室や受付等に設置された別置き１人乗り専用かご呼びボタン１８を有し、この別置き１人乗り専用かご呼びボタン１８が１人乗り専用かご呼びボタン１６に接続されている他は、第１実施形態によるエレベータ１と同様であるため、詳細な説明は省略する。
【００５４】
〈第２実施形態によるエレベータ制御装置を利用したエレベータの動作〉
本実施形態によるエレベータ２は、第１実施形態によるエレベータ１と同様に動作する他、別置き１人乗り専用かご呼びボタン１８が操作されると、これに連動して１人乗り専用かご呼びボタン１６が操作された状態になる。ここで１人乗り専用かご呼びボタン１６が操作された状態になると、第１実施形態のエレベータ１と同様に１人乗り専用運転の動作（ステップＳ３〜Ｓ７の処理）が行われる。
【００５５】
以上の第２実施形態によれば、マンションの管理室や病院の受付でも１人乗り専用のかご呼び操作を行うことができるため、自身でボタン操作が困難な高齢者や病人などの利用者のために、管理人等が代理で１人乗り専用かご呼びボタンを操作することができる。
【００５６】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００５７】
１、２…エレベータ
１０…乗場
１１…乗場ドア
１２…乗場一般用操作盤
１３…第１かご位置表示盤
１４…第２かご位置表示盤
１５…一般用乗り込み許可灯
１６…１人乗り専用かご呼びボタン
１７…１人乗り専用乗り込み許可灯
１８…別置１人乗り専用かご呼びボタン
２０…乗りかご
２１…かご内操作盤
３０…エレベータ制御装置
３１…ボタン操作情報取得部
３２…運転制御部
３３…許可灯切替部
３４…かご位置表示制御部
１２１…上方向かご呼びボタン
１２２…下方向かご呼びボタン
１３１…かご移動方向表示部
１３２…かご位置階床表示部
１３３…１人乗り専用運転表示灯
１４１…上方向かご移動表示灯
１４２−１〜１４２−６…かご位置表示灯
１４３…下方向かご移動表示灯
【図１】
0005622877.tif 000002
【図２】
0005622877.tif 000003
【図３】
0005622877.tif 000004
【図４】
0005622877.tif 000005